(57)【要約】【課題】  手摺同士を任意の角度で簡単に連結することができると共に、意匠性および施工性にすぐれ、エンドキャップの着脱を簡単に行うことができる手摺の連結構造を提供することである。【解決手段】  ２本の手摺１A,1Bをそれぞれの端部に装着したエンドキャップ２A,２Bにて連結する手摺の連結構造であって、一方の手摺１Ａの端部を挿入するための手摺挿入穴３Ａを後端部に設けた第１のエンドキャップ２Ａと、他方の手摺１Ｂの端部を挿入するための手摺挿入穴３Ｂを後端部に設けた第２のエンドキャップ２Ｂとが連接する先端連接面４Ａ,４Ｂにはそれぞれ前記手摺挿入穴３Ａ,３Ｂと連通する貫通孔５Ａ,５Ｂが設けられており、両エンドキャップ２A,２Bの貫通孔５Ａ,５Ｂを挿通した固定ねじ８にて一方の手摺１Ａの端部を第１のエンドキャップ２Ａに固定し、かつ第１のエンドキャップ２Ａに対して第２のエンドキャップ２Ｂを回転自在に連結している。【選択図】  図１Ｂ
2010048006.tif 000002
【特許請求の範囲】
【請求項１】
２本の手摺をそれぞれの端部に装着したエンドキャップにて所定の角度で連結する手摺の連結構造であって、
一方の手摺の端部を挿入するための手摺挿入穴を後端部に設けた第１のエンドキャップと、他方の手摺の端部を挿入するための手摺挿入穴を後端部に設けた第２のエンドキャップとが連接する先端連接面にはそれぞれ前記手摺挿入穴と連通する貫通孔が設けられており、
両エンドキャップの貫通孔を挿通した固定具にて一方の手摺の端部を第１のエンドキャップに固定し、かつ第１のエンドキャップに対して第２のエンドキャップを回転自在に連結したことを特徴とする手摺の連結構造。
【請求項２】
前記第２のエンドキャップの後端部に設けた手摺挿入穴の内周面には、他方の手摺の挿入状態で該手摺の外周面に食い込む突起を設けた請求項１に記載の手摺の連結構造。
【請求項３】
前記突起が第２のエンドキャップの後端から先端方向に伸びる突条であり、該突条が前記手摺挿入穴の周方向に複数形成されている請求項２に記載の手摺の連結構造。
【請求項４】
前記突条は、第２のエンドキャップの後端から先端方向に向かって前記手摺挿入穴の内周面からの高さが高くなるように構成されている請求項３に記載の手摺の連結構造。
【請求項５】
前記第１のエンドキャップと第２のエンドキャップとの先端連接面が手摺の軸心に対して傾斜した円形の傾斜面となっており、該傾斜面に前記貫通孔が設けられている請求項１〜４のいずれかに記載の手摺の連結構造。
【請求項６】
前記第１のエンドキャップおよび第２のエンドキャップのうちいずれか一方の先端連接面には他方のエンドキャップの先端連接面に設けた貫通孔に嵌入する突起が設けられている請求項１〜５のいずれかに記載の手摺の連結構造。
【請求項７】
前記第１のエンドキャップおよび第２のエンドキャップの貫通孔を挿通した前記固定具は、第２のエンドキャップの前記手摺挿入穴から前記貫通孔に挿入され頭部が該貫通孔の周縁部に係止したブシュと、該ブシュに設けた孔を挿通し前記一方の手摺の端部に螺入され頭部がブシュの孔周縁部に係止した固定ねじとを備えた請求項１〜６のいずれかに記載の手摺の連結構造。
【請求項８】
前記第１のエンドキャップと第２のエンドキャップがダイカスト品である請求項１〜７のいずれかに記載の手摺の連結構造。
【発明の詳細な説明】
【技術分野】
【０００１】
本発明は、建造物の階段や廊下等に取り付けられる手摺を任意な角度で連結することができる手摺の連結構造に関する。
【背景技術】
【０００２】
手摺りは、歩行時や階段昇降時の安全性の確保から、一般家庭はもとより公共施設などで多く設置されている。長い階段や廊下では、複数本の手摺が連結して設置されている。また、廊下や階段の曲がり角等においては、手摺を所定の角度で連結するためにＬ字形や円弧状の連結具を用いて、手摺を連結している。
【０００３】
しかしながら、廊下や階段の曲がり角度は多様であるため、それぞれの曲がり角度に対応した連結具を規格品として供給することが困難であるため、連結角度を変更することができる自在連結具が求められる。そのため、従来から様々な自在連結具が提案されている。
【０００４】
例えば、特許文献１には、手摺を自在に連結するために、手摺が接続される一対の可動部材を連結部材で接続するようにした自在接続具が開示されている。
特許文献２には、手摺材と手摺材との間に球体を介在させて自在に手摺材を連結するようにした接合構造が開示されている。
特許文献３には、一方の手摺の端部に装着した第１継ぎ具の先端部に設けた開口部に、他方の手摺の端部に装着した第２継ぎ具の先端部が回動自在に嵌合した手摺継ぎ手が開示されている。
【０００５】
特許文献１〜３に記載の連結具は、いずれも手摺同士を自在に連結できるようにしたものであるが、部品点数が多くなったり、あるいは連結具の構造が複雑で大型になったりし、さらに手摺同士を連結するために施工も煩雑になるという問題があった。
【０００６】
これらの問題を解決するために、特許文献４では、手摺同士を任意の角度で簡単に連結することができる、構造の簡単な手摺のエンドキャップが記載されている。すなわち、このエンドキャップは、先端面を円形の傾斜面とし、これらの傾斜面同士を互いに近接ないし当接させることにより、エンドキャップの手摺同士を任意の角度で簡単に連結することができ、その結果、構造が簡単で施工も容易になるというものである。
【０００７】
【特許文献１】特開平１１−６２６７  号公報
【特許文献２】特開２００２−６１３６６号公報
【特許文献３】特開２００２−６１３５９号公報
【特許文献４】特開２００８−１８００６７号公報
【発明の開示】
【発明が解決しようとする課題】
【０００８】
上記の特許文献では、いずれも手摺の端部にエンドキャップを装着し固定する必要がある。そのために、手摺の端部をエンドキャップ内に挿入し、エンドキャップの側面に設けたねじ挿通孔を介して固定ねじを手摺に螺入させてエンドキャップを固定する方法が採用されている。そのため、各エンドキャップの側面には固定ねじの頭部が露出するため、手摺の意匠性が損なわれるという問題がある。
また、連結する２本の手摺のそれぞれにエンドキャップを固定ねじで固定する必要があるため、エンドキャップの取り付けおよび手摺同士の連結に時間がかかり、施工性が悪いという問題がある。
【０００９】
一方、手摺の取り付け作業では、通常、壁紙を貼る前の壁面に手摺を取り付け、ついで手摺を取り外して壁紙を貼りつけ、再び手摺を壁面に取り付けるという作業を要する。これは、壁面施工および手摺の取り付けを行う作業者と、壁紙を貼る作業者とが異なり、これらの作業者の作業日を異にするためである。従って、作業効率を考慮すると、手摺を一旦取り付けた後、簡単に手摺同士を取り外せるようにすることも望まれる場合もあるが、従来の手摺連結構造では、取り外しも煩雑であった。
【００１０】
従って、本発明の課題は、手摺同士を任意の角度で簡単に連結することができると共に、意匠性および施工性にすぐれ、エンドキャップの着脱を簡単に行うことができる手摺の連結構造を提供することである。
【課題を解決するための手段】
【００１１】
本発明者は、上記課題を解決すべく鋭意研究を重ねた結果、１つの固定具（例えば固定ねじ）で一方の手摺に一方のエンドキャップを固定する際に同時にエンドキャップ同士をも連結すれば、他方のエンドキャップは他方の手摺に単に装着されているだけであっても、壁面等に２本の手摺をブラケットにて所定角度で取り付けた状態では、いずれのエンドキャップも回転することがなく、安定した取付けが可能になり、しかも前記固定具は外部に露出しないので、施工性および意匠性が向上するという知見を得て、本発明を完成するに至った。
【００１２】
すなわち、本発明に係る手摺の連結構造は、以下の構成からなる。
(１)  ２本の手摺をそれぞれの端部に装着したエンドキャップにて所定の角度で連結する手摺の連結構造であって、
一方の手摺の端部を挿入するための手摺挿入穴を後端部に設けた第１のエンドキャップと、他方の手摺の端部を挿入するための手摺挿入穴を後端部に設けた第２のエンドキャップとが連接する先端連接面にはそれぞれ前記手摺挿入穴と連通する貫通孔が設けられており、両エンドキャップの貫通孔を挿通した固定具にて一方の手摺の端部を第１のエンドキャップに固定し、かつ第１のエンドキャップに対して第２のエンドキャップを回転自在に連結したことを特徴とする手摺の連結構造。
（2）前記第２のエンドキャップの後端部に設けた手摺挿入穴の内周面には、他方の手摺の挿入状態で該手摺の外周面に食い込む突起を設けた請求項１に記載の手摺の連結構造。
（3）前記突起が第２のエンドキャップの後端から先端方向に伸びる突条であり、該突条が前記穴の周方向に複数形成されている（2）に記載の手摺の連結構造。
（4）前記突条は、第２のエンドキャップの後端から先端方向に向かって前記手摺挿入穴の内周面からの高さが高くなるように構成されている（3）に記載の手摺の連結構造。
（5）前記第１のエンドキャップと第２のエンドキャップとの先端連接面が手摺の軸心に対して傾斜した円形の傾斜面となっており、該傾斜面に前記貫通孔が設けられている(１)〜（4）のいずれかに記載の手摺の連結構造。
（6）前記第１のエンドキャップおよび第２のエンドキャップのうちいずれか一方の先端連接面には他方のエンドキャップの先端連接面に設けた貫通孔に嵌入する突起が設けられている(１)〜（5）のいずれかに記載の手摺の連結構造。
（7）前記第１のエンドキャップおよび第２のエンドキャップの貫通孔を挿通した前記固定具は、第２のエンドキャップの前記手摺挿入穴から前記貫通孔に挿入され頭部が該貫通孔の周縁部に係止したブシュと、該ブシュに設けた孔を挿通し前記一方の手摺の端部に螺入され頭部がブシュの孔周縁部に係止した固定ねじとを備えた(１)〜（6）のいずれかに記載の手摺の連結構造。
（8）前記第１のエンドキャップと第２のエンドキャップがダイカスト品である(１)〜（7）のいずれかに記載の手摺の連結構造。
【発明の効果】
【００１３】
本発明にかかる手摺の連結構造によれば、例えば、固定具を第２のエンドキャップの手摺挿入穴から第１および第２のエンドキャップの貫通孔を挿通して第１のエンドキャップの手摺挿入穴内に挿入させて、該第１のエンドキャップの手摺挿入穴内に挿入された手摺の端部を固定するようにすれば、一方の手摺を一方のエンドキャップに固定すると同時に、エンドキャップ同士をも回転自在に連結することができ、しかも固定具が外部に露出しないので、意匠性にも優れる。
【００１４】
この状態で両エンドキャップの角度調整を行い、ついで第２のエンドキャップの手摺挿入穴に他方の手摺の端部を挿入し、壁面等に２本の手摺を所定角度で取り付けた状態では、いずれのエンドキャップも回転することがなく、安定した取付けが可能になり、しかも１つの固定具だけで手摺の連結が可能になるので、手摺の着脱も容易になり、施工性が向上するという効果がある。このとき、上記（2）に記載のように、第２のエンドキャップの後端部に設けた手摺挿入穴の内周面に、他方の手摺の挿入状態で該手摺の外周面に食い込む突起を設けると、エンドキャップの回転が確実に阻止され、より一層安定した取付けが可能になる。
【００１５】
また、上記（5）に記載のように、先端連接面が手摺の軸心に対して傾斜した円形の傾斜面となっている場合には、例えば廊下や階段の曲がり角等において、手摺同士を任意の角度で簡単に連接することができる。従って、手摺の取付け工事も容易になるという効果がある。
【発明を実施するための最良の形態】
【００１６】
図１Ａおよび図１Ｂは本発明の一実施形態に係る手摺の連結構造を示す断面図であり、図１Ａは２本の手摺１Ａ，１Ｂを直線状に連結した状態を示し、図１Ｂはほぼ直角に連結した状態を示している。図２(a),(b),(c)はそれぞれ第１のエンドキャップを示す斜視図、側面図および断面図である。図３(a),(b),(c),(d)はそれぞれ第２のエンドキャップを示す斜視図、側面図、断面図および背面図(その部分拡大図も含む)であり、図４は第２のエンドキャップに設けた突条（突起）を示す説明図である。図５(a)〜(d)は、本発明における手摺の連結手順を示す説明図である。
【００１７】
この実施形態に係る手摺の連結構造は、図１Ａおよび図１Ｂに示すように、２本の手摺１Ａ，１Ｂをそれぞれの端部に装着した第１および第２のエンドキャップ２Ａ，２Ｂにて所望の角度で連結するものである。第１のエンドキャップ２Ａおよび第２のエンドキャップ2Ｂは、固定ねじ８とブシュ１０とによって連結される。
【００１８】
第１のエンドキャップ２Ａは、図２に示すように、一方の手摺１Ａの端部を挿入するための手摺挿入穴３Ａが後端部に設けられ、第２のエンドキャップ２Ｂと連接する先端連接面４Ａには手摺挿入穴３Ａと連通する貫通孔５Ａが設けられている。また、第１のエンドキャップ２Ａは、上記貫通孔５Ａより手摺挿入穴３Ａ内に突出した筒形部６が一体に形成されている。この筒形部６は、ブシュ１０を収容するためのものであり、該筒形部６の底部には固定ねじ８が挿通するねじ挿通孔７が形成される。筒形部６の長さは、先端連接面４Ａから手摺１Ａが挿入される位置までであり、図１Ａおよび図１Ｂに示すように手摺１Ａの端面が筒形部６の底面に当接した状態で固定ねじ８が手摺１Ａの端面に螺入される。
【００１９】
また、第１のエンドキャップ２Ａの先端連接面４Ａには、貫通孔５Ａを囲むように突起部９が形成されており、該突起部９が第２のエンドキャップ２Ｂの貫通孔５Ｂに係合してエンドキャップ２Ａ，２Ｂ同士の回転を円滑に行わせるようになっている。
【００２０】
第２のエンドキャップ２Ｂは、図３に示すように、他方の手摺１Ｂの端部を挿入するための手摺挿入穴３Ｂが後端部に設けられており、第１のエンドキャップ２Ａと連接する先端連接面４Ｂには手摺挿入穴３Ｂと連通する貫通孔５Ｂが設けられている。貫通孔５Ｂは、前記した第１のエンドキャップ２Ａの先端連接面４Ａに設けた突起部９が挿入され、かつブシュ１０が挿入される大きさの径を有する。
【００２１】
また、第２のエンドキャップ２Ｂの手摺挿入穴３Ｂには、その内周面に他方の手摺１Ｂの挿入状態で該手摺の外周面に食い込む突条１１（突起）が設けられている(図１Ａ，Ｂおよび図３（ｃ）を参照)。この実施形態では、図３(d)に示すように、突条１１は、第２のエンドキャップ２Ｂの後端（手摺挿入穴３Ｂの入口付近）から先端方向に向かって延設されており、かつ該突条１１は手摺挿入穴３Ｂの周方向に略等間隔で複数(３箇所)形成されている。これによって、第２のエンドキャップ２Ｂが手摺１Ｂに対して回転するのが阻止される。
【００２２】
このとき、突条１１は、図４に示すように、第２のエンドキャップ２Ｂの後端から先端方向に向かって、手摺挿入穴3Ｂの内周面からの高さが順次高くなるように構成されている。具体的には、突条１１の高さは、例えば最低が０ｍｍで最高が約1ｍｍの範囲内で順次高くなるように決定することができる。これによって、手摺挿入穴３Ｂへの手摺１Ｂの挿入を容易に行うことができ、かつ確実に回転を阻止することができる。
【００２３】
第１のエンドキャップ２Ａおよび第２のエンドキャップ2Ｂは、前記したように固定ねじ８とブシュ１０とによって連結される。ブシュ１０は、図１Ａおよび図１Ｂに示すように、合成樹脂等を用いて、頭部１０aと胴部１０ｂとを一体に成形したものである。このブシュ１０は、第２のエンドキャップ2Ｂの手摺挿入穴３Ｂから貫通孔５Ａ，５Ｂを経て、胴部１０ｂが第１のエンドキャップ２Ａの筒形部６に挿入収容される。この状態で、固定ねじをブシュ１０に設けた孔１２に挿通させ、さらに筒形部６底部のねじ挿通孔７を挿通して一方の手摺1Aの端部に螺入され、頭部１０aがブシュの孔12内に設けた段部の周縁部に係止する。
【００２４】
第１のエンドキャップ２Ａおよび第２のエンドキャップ2Ｂは、例えば合成樹脂成形品であってもよいが、これらのエンドキャップ２Ａ，２Ｂは簡単な構造であるので、金属のダイカスト品であるのが好ましい。
【００２５】
次に、手摺１Ａ，１Ｂを連結する手順を図５に基づいて説明する。まず、図５(a)に示すように、第１のエンドキャップ２Ａおよび第２のエンドキャップ2Ｂの各先端連接面４A,4Bを連接させ（すなわち、第２のエンドキャップ2Ｂの突起部９を第１のエンドキャップ２Ａの貫通孔５Bに係合させる）、第２のエンドキャップ2Ｂの手摺挿入穴３Bからブシュ１０を貫通孔５A,5B内に挿入する。
【００２６】
この状態で、図５(ｂ)に示すように、第１のエンドキャップ２Ａを一方の手摺１Aの端部に装着し、固定ねじ８をブシュ１０の孔12から一方の手摺１Aの端面に螺入して、手摺１Aに両エンドキャップ２Ａ，2Ｂを取り付ける。なお、手摺１Aはあらかじめ図示しない壁面等にブラケットにて固定されていてもよい。
【００２７】
ついで、図５(ｃ)に示すように、第１のエンドキャップ２Ａおよび第２のエンドキャップ2Ｂを回して、手摺１Ａ，１Ｂが所定の角度になるように角度調整を行う。しかるのち、図５(ｄ)に示すように、他方の手摺１Ｂを第１のエンドキャップ２Ａの手摺挿入穴３B内にはめ込む。このとき、他方の手摺１Ｂはガタツキがないように手摺挿入穴３Bの奥まで押し込むのが好ましい。
【００２８】
このようにして連結された手摺１Ａ，１Ｂは、外部からエンドキャップ２Ａ，２Ｂを固定した固定ねじ8が見えないため、意匠性が向上する。
【００２９】
また、手摺１Ａ，１Ｂの連結には、１本の固定ねじ８を必要とするだけであるから、手摺１Ａ，１Ｂの連結が容易であり、施工性が向上する。また、手摺１Ａ，１Ｂを壁面等から取り外す場合も、他方の手摺１Ｂを第２のエンドキャップ2Ｂから引き抜くだけでよいため、着脱も容易になる。
【００３０】
以上、本発明の好ましい実施形態を説明したが、本発明は以上の実施形態に限定されるものではなく、特許請求の範囲に記載した範囲内において種々の改善や変更が可能である。例えば、前記したライン状の突条１１に代えて点状の突起を複数設けてもよく、あるいは突条１１(突起)を省略してもよい。
また、先端連接面４A,4Bが傾斜した円形の傾斜面でなく、例えば楕円状の傾斜面であってもよい。さらに、前記ブシュ１０の形状も種々の変形が可能であり、またブシュ10を省略して固定ねじ等で固定するようにしてもよい。
【図面の簡単な説明】
【００３１】
【図１Ａ】本発明の一実施形態に係る手摺の連結構造を、直線状に連結した状態で示す断面図である。
【図１Ｂ】本発明の一実施形態に係る手摺の連結構造を、ほぼ直角に連結した状態で示す断面図である。
【図２】(a),(b),(c)はそれぞれ第１のエンドキャップを示す斜視図、側面図および断面図である。
【図３】(a),(b),(c),(d)はそれぞれ第２のエンドキャップを示す斜視図、側面図、断面図および背面図(その部分拡大図も含む)である。
【図４】第２のエンドキャップに設けた突条（突起）を示す説明図である。
【図５】(a)〜(d)は、本発明における手摺の連結手順を示す説明図である。
【符号の説明】
【００３２】
１A,1B・・・手摺、２A,２B・・・エンドキャップ、３Ａ,３Ｂ・・・手摺取付穴、４Ａ,４Ｂ・・・先端連接面、５Ａ,５Ｂ・・・貫通孔、６・・・筒形部、７・・・ねじ挿通孔、８・・・固定ねじ(固定具)、１０・・・ブシュ、１１・・・突条(突起)、１２・・・孔
【図１Ａ】
2010048006.tif 000003
【図１Ｂ】
2010048006.tif 000004
【図２】
2010048006.tif 000005
【図３】
2010048006.tif 000006
【図４】
2010048006.tif 000007
【図５】
2010048006.tif 000008